(57)【要約】      （修正有）【課題】  送風機からの空気圧に対し、膜構造体内部で照明灯を安定して配置でき、しかも従来よりも高明度で且つ全方向への照明を可能にし、安全性を向上させる照明装置の提供。【解決手段】  柔軟で光分散透過可能な耐熱性シートで形成した袋状の膜構造体と、該膜構造体の内部に照明支持構成体３によって支持配置した照明灯４と、膜構造体の内部を一定の気圧状態に維持することで膜構造体を膨出保形するための送風機６とを備えて成る。そして、前記照明灯４は透明な耐熱、耐圧強化ガラス、プラスチック等からなる防護カバー５によって被覆されている。【選択図】図２
2006309996.tif 000002
【特許請求の範囲】
【請求項１】
柔軟で光分散透過可能な耐熱性シートで形成した袋状の膜構造体と、該膜構造体の内部に照明支持構成体によって支持配置された照明灯と、膜構造体の内部を常時一定の気圧状態に維持することで当該膜構造体を膨出保形させる送風機とを備えて成るものであって、前記照明灯は透明な耐熱、耐圧強化ガラス、プラスチック等からなる防護カバーによって被覆されていることを特徴とする照明装置。
【発明の詳細な説明】
【技術分野】
【０００１】
本発明は、屋外または屋内に使用され、屋外としては例えば屋外ステージ、公園、盆踊り会場等で使用される高明度で且つ全方向への照明が可能な、安全性の高い照明装置に関する。
【背景技術】
【０００２】
従来、このような照明装置としては、例えば特許文献１に開示されているように、略袋状に形成された膜構造体の内部に送風機と照明器具が配置され、照明器具は、送風機による空気圧で膜構造体が膨張した際に、当該膜構造体内部に渡設した紐状部材に発生する引っ張り力で保持されるものとした空気膜造形体なるものが提案されている。
【特許文献１】特開平９−２７４４６０号公報
【発明の開示】
【発明が解決しようとする課題】
【０００３】
しかしながら、上記従来例によれば、膨張した空気膜造形体の使用に際し、照明器具が膜構造体内部に渡設した紐状部材に発生する引っ張り力で保持されるものであるため、空気膜造形体を膨張保形すべき送風機からの空気圧によって照明器具自体が膜構造体内部で上下左右に振動したり、旋回揺動したりして非常に不安定であり、しかもその反動で膜構造体全体が転倒してしまう虞れが生じ、さらに照明器具の動きによって安定した照明効果が得られないものとなる。
【０００４】
また、照明灯はメタルハライドランプ、白熱灯、ハロゲンランプ等高明度のものを使用するため長時間が経過すると、例えば３００℃位まで熱せられると共に、ガラス管の内圧が限界値を超えてしまい、当該ガラス管が破裂する危険性があった。
【０００５】
従来、このような危険性を防止するために照明灯外周に防護ネットを囲繞したり、あるいは透明なプラスチックフィルムを張り付ける等の防護策を施しているが、いずれも周囲に居る人におよぼす危険を確実に回避することは不可能であった。
【０００６】
そこで、本発明は、叙上のような従来存した諸事情に鑑み創出されたもので、送風機からの空気圧に対し、膜構造体内部で照明灯を安定して配置させることができ、しかも従来よりも高明度で且つ全方向への照明が可能な、安全性の高い照明装置を提供することを目的とする。
【課題を解決するための手段】
【０００７】
上記目的を達成するために本発明にあっては、柔軟で光分散透過可能な耐熱性シートで形成した袋状の膜構造体と、該膜構造体の内部に照明支持構成体によって支持配置された照明灯と、膜構造体の内部を常時一定の気圧状態に維持することで当該膜構造体を膨出保形させる送風機とを備えて成るものであって、前記照明灯は透明な耐熱、耐圧強化ガラス、プラスチック等からなる防護カバーによって被覆されていることを特徴とした。
【発明の効果】
【０００８】
本発明は以上のように構成されているために、送風機からの空気圧に対し、膜構造体内部で照明灯を安定して配置させることができ、しかも従来よりも高明度で且つ全方向への照明が可能となる。
【０００９】
また、照明灯は透明な耐熱、耐圧強化ガラス、プラスチック等からなる防護カバーによって被覆されているために、例え照明灯が高温、高圧等を原因として破裂しても、ガラスの破片が防護カバーによって周囲に飛び散るのを確実に防止することができ安全性に優れている。
【発明を実施するための最良の形態】
【００１０】
以下、本発明を実施する最良の形態を図面を参照して説明すると、図に示される符号１は、高明度で且つ全方向への照明を可能とした球形状の空気膜造形体を備えた照明装置であり、当該照明装置１は、柔軟で光分散透過可能な耐熱性シートである、例えば帆布材もしくはパラシュートクロス材等で形成した袋状の膜構造体２の内部に照明支持構成体３によって支持配置された、例えばメタルハライドランプによって形成されている照明灯４および防護カバー５を備え、膜構造体２の内部を常時一定の気圧状態に維持することで当該膜構造体２を膨出保形させるための送風機６を照明支持構成体３内の下側に備えて成る。なお、照明灯４としては、メタルハライドランプ以外にも、例えば白熱灯やハロゲンランプ等でも良い。
【００１１】
照明支持構成体３は、上面板７ａに複数の送風孔７ｂが形成されている中空支持台７が下方に設けられ、中空支持台７上面板７ａの周囲に複数本の支柱８が立設されると共に、この支柱８上端に支持板９が載設固定され、さらに、この支持板９の下面中央には、外部の電源にプラグ１０によって接続される照明灯４が垂下配設された構成としてある。
【００１２】
送風機６は、中空支持台７の中央下面に取り付けられ、ファン６ａが中空支持台７内部の送風孔７ｂ下側に配設され、上面板７ａの送風孔７ｂを経て膜構造体２の内部に送風されるようになっている。
【００１３】
防護カバー５は、透明な耐熱、耐圧強化ガラス、プラスチック（例えば透明アクリル樹脂）等によって下面が閉鎖された円筒状に形成されており、支持板９下面に垂下配設された照明灯４を完全に覆うようにして外周に密封状態で照明灯４基部４ａに連設固定されている。そして、例えばかかる耐熱、耐圧強化ガラスとしては３００℃位の温度に耐えられ、かつ耐圧性にも優れた石英ガラス（例えば、２５４暴漠用石英ガラス）が好適である。
【００１４】
以上の構成からなる照明装置１は、図１に示すように、中央支持台７の下面に設けられた伸縮自在でしかも折り畳み可能な三脚１１に支持され、地上に設置されるようにしても、あるいは上面板６ａに不図示の吊り具を設け、天井等に吊り下げて使用されるようにしてもよい。
【００１５】
袋状の膜構造体２は、照明支持構成体３の上下部に設けられた上面板６ａの上面と中空支持体７の下面に固定されるが、その固定手段として雌雄ボタン、面ファスナ、スライドファスナ等を使って容易に脱着できるようにしてある。
【００１６】
次に、以上のように構成された最良の形態についての使用、動作の一例を説明する。
使用に際しては、先ず送風機６を作動させファン６ａを回転させると、空気が中空支持台７の送風孔７ｂを経て膜構造体２内を上昇する。
【００１７】
そして、この空気が増量するにつれて膜構造体２は徐々に膨張する。そして、送風機６による送風中、空気の一部は膜構造体２自身やその上下取付部分等から漏れるため、膜構造体２内の空気圧を常時だいたい一定の値に維持させるものとなって膜構造体２自体を一定の膨出形状に保形させると共に、照明支持構成体３により、送風機６からの空気圧に対して膜構造体２内部で照明灯４が安定して配置された状態となる。
【００１８】
次いで、プラグ１０を電源に差し込んで照明灯４を点灯すると、送風機６によって膨出保形している膜構造体２の内側から外周側へ向けて光を均一に分散透過させ、高明度で且つ全方向への照明が得られる。
【００１９】
そして、照明灯４を長時間点灯させ、仮に照明灯４の温度が３００℃近くまで上昇し、かつ照明灯４のガラス管の内圧が限界地を超えて破裂した場合でも、照明灯４を被覆している耐熱、耐圧強化ガラス、プラスチック等からなる防護カバー５によって防護され、ガラスの破片が周囲に飛び散ることがない。したがって、周囲に危険を及ぼすおそれがないものである。
【産業上の利用可能性】
【００２０】
この照明装置は、球形状の空気膜造形体を備えた内部照明構造の広告体としても利用可能である。
【図面の簡単な説明】
【００２１】
【図１】本発明を実施するための最良の形態における一部分解状態の斜視図である。
【図２】同じく使用状態の一部切欠断面図である。
【符号の説明】
【００２２】
１      照明装置
２      膜構造体
３      照明支持構成体
４      照明灯
５      防護カバー
６      送風機
【図１】
2006309996.tif 000003
【図２】
2006309996.tif 000004